(57)【要約】【課題】清掃体の前後方向の両側の外表面層に付着している清掃用処理剤を無駄なく使用して便器を清掃することを可能とする。【解決手段】便器Ｂの縁裏Ｕを清掃するための縁裏清掃部位１０ａを先端側に有する清掃体１０と、清掃体１０が先端部に取り付けられる柄２０と、が備えられ、清掃体１０における柄長手方向Ｙに直交する前後方向Ｘの両側の外表面層１０Ａ，１０Ｂに、フッ素樹脂粉体を含有する清掃用処理剤Ｐが付着され、清掃体１０が、柄２０の先端に取り付けられた状態で前後方向Ｘの両側に曲げ変形可能に構成されている。【選択図】図３
2019051032.tif 000002
【特許請求の範囲】
【請求項１】
便器の縁裏を清掃するための縁裏清掃部位を先端側に有する清掃体と、
前記清掃体が先端部に取り付けられる柄と、が備えられ、
前記清掃体における柄長手方向に直交する前後方向の両側の外表面層に、フッ素樹脂粉体を含有する清掃用処理剤が付着され、
前記清掃体が、前記柄の先端に取り付けられた状態で前後方向の両側に曲げ変形可能に構成されている清掃具。
【請求項２】
前記柄の先端部には、柄長手方向に沿って延在する清掃用芯部が備えられ、
前記清掃用芯部には、前記前後方向を板厚方向として前後方向の両側に曲げ変形可能な板状の曲げ変形部が備えられ、
前記清掃用芯部における少なくとも前記曲げ変形部の周囲に前記清掃体が取り付けられている請求項１記載の清掃具。
【請求項３】
前記曲げ変形部は、先端側ほど曲げ剛性が低くなる形状に構成されている請求項２記載の清掃具。
【請求項４】
前記曲げ変形部は、先端側ほど曲げ剛性が低くなる形状として、基板部の板厚が先端側ほど小さくなる形状に構成されている請求項３記載の清掃具。
【請求項５】
請求項１〜４のいずれか１項に記載の清掃具を収容する清掃具用ケースであって、
底壁部と当該底壁部の周囲から立ち上がる周壁部とを有する上方開口の収容部と、
前記収容部の上部に備えられ、前記清掃具の前記清掃体が前記底壁部及び前記周壁部から浮いた状態で前記収容部の内部空間に位置する吊り下げ姿勢で、前記清掃具を吊り下げ支持する吊り下げ支持部と、が備えられ、
前記吊り下げ支持部には、前記収容部の前記周壁部のうち、前記内部空間を挟んで相対向する二つの壁部の幅方向の中央部位から直上に立ち上がる一対の支柱部と、前記一対の支柱部の上端側どうしを平面視で直線的に繋ぐ繋ぎ部とが備えられ、
前記繋ぎ部の長手方向の中央部位には、前記清掃具の前記柄を掛止可能な被掛止部が備えられている清掃具用ケース。
【請求項６】
請求項１〜４のいずれか１項に記載の清掃具を収容する清掃具用ケースであって、
底壁部と当該底壁部の周囲から立ち上がる周壁部とを有する上方開口の収容部が備えられ、
前記底壁部には、前記収容部の内部空間において前記清掃具の前記清掃体を前記底壁部の他部から浮いた状態に支持する縦方向支持凸部が備えられ、
前記周壁部には、前記収容部の内部空間において前記清掃具の前記清掃体を前記周壁部の他部から浮いた状態に支持する横方向支持凸部が備えられている清掃具用ケース。
【発明の詳細な説明】
【技術分野】
【０００１】
本発明は、便器の清掃等に好適に用いられる清掃具、及び、その清掃具を収容する清掃具用ケースに関する。
【背景技術】
【０００２】
洋式の便器では、便器の上部開口の周りで開口中心側に突出する縁部（リムと呼称される場合もある。）の裏側である縁裏に汚れが付着することがある。
そこで、この種の清掃具では、柄の先端に取り付けられた清掃体の先端側に、便器の縁裏を清掃するための縁裏清掃部位が備えられている。そして、清掃体は、先端側の縁裏清掃部位が他部に対して柄長手方向に直交する前後方向の一方側（例えば使用状態での上側）に偏倚するように屈曲した形状に成形されている（例えば、特許文献１、２参照）。
そのため、清掃体の前後方向の他方側（例えば使用状態での下側）の外表面層を清掃対象部位に擦り付けて便器の内面の縁裏以外の部位を清掃しながら、清掃体の前後方向の一方側に偏倚した縁裏清掃部位を便器の縁裏に入り込ませる形態で便器の縁裏も清掃することができる。
【０００３】
また、特許文献１に記載された清掃具では、このように屈曲した形状に成形された清掃体の外表面層に、フッ素樹脂粉体を含有する清掃用処理剤を付着させている。そのため、清掃体の外表面層を便器の清掃対象部位に擦り付けて便器を清掃する際に、清掃用処理剤に含まれるフッ素樹脂粉体を便器の清掃対象部位に転移させることができ、フッ素樹脂粉体の防汚作用により便器の内面への汚れの再付着を抑制することができる。
【先行技術文献】
【特許文献】
【０００４】
【特許文献１】特開２０１６−０８９０６１号公報
【特許文献２】特開２０１７−０７４３０６号公報
【発明の概要】
【発明が解決しようとする課題】
【０００５】
特許文献１に記載された清掃具では、清掃体における前後方向の両側の外表面層に、フッ素樹脂粉体を含有する清掃用処理剤を付着させているが、清掃体が、先端側の縁裏清掃部位が他部に対して柄長手方向に直交する前後方向の一方側（例えば前側）に偏倚するように屈曲した形状に成形されているので、その形状特性から、便器の清掃に使用できる面が、清掃体の前後方向の他方側（例えば後側）の面に限られる。よって、清掃体の前後方向の一方側（例えば前側）の外表面層に付着している清掃用処理剤を使用できないという不都合がある。
【０００６】
この実情に鑑み、本発明の主たる課題は、清掃体の前後方向の両側の外表面層に付着している清掃用処理剤を無駄なく使用して便器を清掃することができる清掃具、及び、その清掃具を適切に収容できる清掃具用ケースを提供する点にある。
【課題を解決するための手段】
【０００７】
本発明の第１特徴構成は、便器の縁裏を清掃するための縁裏清掃部位を先端側に有する清掃体と、
前記清掃体が先端部に取り付けられる柄と、が備えられ、
前記清掃体における柄長手方向に直交する前後方向の両側の外表面層に、フッ素樹脂粉体を含有する清掃用処理剤が付着され、
前記清掃体が、前記柄の先端に取り付けられた状態で前後方向の両側に曲げ変形可能に構成されている点にある。
【０００８】
本構成によれば、縁裏清掃部位を先端側に有し、且つ、前後方向の両側の外表面層に清掃用処理剤が付着されている清掃体が、柄の先端に取り付けられた状態で前後方向の両側に曲げ変形可能である。
よって、先端側の縁裏清掃部位が他部に対して前後方向の前側に偏倚するように曲げ変形させることで、第１清掃形態として、清掃用処理剤が付着された清掃体の前後方向の後側の外表面層を清掃対象部位に擦り付けて便器の内面の縁裏以外の部位を清掃しながら、清掃体の前後方向の前側に偏倚した縁裏清掃部位を便器の縁裏に入り込ませる形態で便器の縁裏を清掃することができる。
また、使用姿勢を前後逆向きに反転させ、先端側の縁裏清掃部位が他部に対して前後方向の後側に偏倚するように曲げ変形させることで、第２清掃形態として、清掃用処理剤が付着された清掃体の前後方向の前側の外表面層を清掃対象部位に擦り付けて便器の内面の縁裏以外の部位を清掃しながら、清掃体の前後方向の後側に偏倚した縁裏清掃部位を便器の縁裏に入り込ませる形態で便器の縁裏を清掃することができる。
したがって、清掃体の前後方向の両側の外表面層に付着している清掃用処理剤を無駄なく使用して便器を清掃することができる。
【０００９】
本発明の第２特徴構成は、前記柄の先端部には、柄長手方向に沿って延在する清掃用芯部が備えられ、
前記清掃用芯部には、前記前後方向を板厚方向として前後方向の両側に曲げ変形可能な板状の曲げ変形部が備えられ、
前記清掃用芯部における少なくとも前記曲げ変形部の周囲に前記清掃体が取り付けられている点にある。
【００１０】
本構成によれば、柄の先端部に備えられた清掃用芯部における少なくとも曲げ変形部の周囲に清掃体が取り付けられ、その曲げ変形部の前後方向を板厚方向とする前後方向の両側への曲げ変形により、清掃体が、柄の先端に取り付けられた状態で前後方向の両側に曲げ変形可能に構成されている。よって、曲げ変形部の素材や形状等を変更するだけで、柄の先端に取り付けられた状態での清掃体の変形特性を所望のものに調整することができ、便器を一層適切且つ容易に清掃することが可能となる。
【００１１】
本発明の第３特徴構成は、前記曲げ変形部は、先端側ほど曲げ剛性が低くなる形状に構成されている点にある。
【００１２】
本構成によれば、周囲に清掃体が取り付けられている曲げ変形部を先端側ほど曲げ剛性が低くなる形状にすることで、柄の先端に取り付けられた状態での清掃体の変形特性を先端側ほど曲げ剛性が低くなる便器の縁裏の清掃に適した変形特性とすることができる。
【００１３】
本発明の第４特徴構成は、前記曲げ変形部は、先端側ほど曲げ剛性が低くなる形状として、基板部の板厚が先端側ほど小さくなる形状に構成されている点にある。
【００１４】
本構成によれば、曲げ変形部の基板部の板厚を先端側ほど小さくするという製造し易いシンプルな形状により、柄の先端に取り付けられた状態での清掃体の変形特性を先端側ほど曲げ剛性が低くなる便器の縁裏の清掃に適した変形特性を実現することができる。
【００１５】
本発明の第５特徴構成は、第１〜第４特徴構成のいずれかに記載の清掃具を収容する清掃具用ケースであって、
底壁部と当該底壁部の周囲から立ち上がる周壁部とを有する上方開口の収容部と、
前記収容部の上部に備えられ、前記清掃具の前記清掃体が前記底壁部及び前記周側部から浮いた状態で前記収容部の内部空間に位置する吊り下げ姿勢で、前記清掃具を吊り下げ支持する吊り下げ支持部と、が備えられ、
前記吊り下げ支持部には、前記収容部の前記周壁部のうち、前記内部空間を挟んで相対向する二つの壁部の幅方向の中央部位から直上に立ち上がる一対の支柱部と、前記一対の支柱部の上端側どうしを平面視で直線的に繋ぐ繋ぎ部とが備えられ、
前記繋ぎ部の長手方向の中央部位には、前記清掃具の前記柄を掛止可能な被掛止部が備えられている点にある。
【００１６】
本構成によれば、清掃具を吊り下げ支持部に吊り下げ支持させることで、清掃具の清掃体が底壁部及び周壁部から浮いた状態で収容部の内部空間に位置する吊り下げ姿勢で清掃具を収容することができる。この吊り下げ姿勢では、清掃体が底壁部から浮いた状態であるので、便器の清掃によって清掃体が含んだ水分が清掃体から収容部の底に滴下させることができ、更に、清掃体が周壁部からも浮いた状態であるので、清掃体の周囲に空気が流通し易くて乾燥し易い環境にすることができる。よって、清掃体を早期に乾燥させることができる。したがって、清掃体が水分を含んだ状態のまま放置さされることによる臭いの発生等を適切に回避することができ、清掃具を清潔に保管することができる。
【００１７】
しかも、吊り下げ支持部を構成する一対の支柱部と繋ぎ部とが、収容部の周壁部のうち、内部空間を挟んで相対向する二つの壁部の幅方向の中央部位を通る線分上に配置され、その線分上に配置された繋ぎ部の長手方向の中央部位である平面視で収容部の中心側の部位に被掛止部が配置されているので、一対の支柱部と繋ぎ部とによって清掃具の荷重を効率的に支持することができる。また、繋ぎ部を取っ手に利用して持ち運ぶことができ、その場合でも、収容部をバランス良く持ち上げることができる。
【００１８】
本発明の６特徴構成は、第１〜第４特徴構成のいずれかに記載の清掃具を収容する清掃具用ケースであって、
前記底壁部には、前記収容部の内部空間において前記清掃具の前記清掃体を前記底壁部の他部から浮いた状態に支持する縦方向支持凸部が備えられ、
前記周壁部には、前記収容部の内部空間において前記清掃具の前記清掃体を前記周壁部の他部から浮いた状態に支持する横方向支持凸部が備えられている点にある。
【００１９】
本構成によれば、清掃具を収容するとき、底壁部に備えられた縦方向支持凸部により清掃具の清掃体を底壁部の他部から浮いた状態に支持することができ、更に、周壁部に備えられた横方向支持凸部により清掃具の清掃体を周壁部の他部から浮いた状態に支持することができる。
この支持姿勢では、清掃体が底壁部の他部から浮いた状態であるので、便器の清掃によって清掃体が含んだ水分が清掃体から収容部の底に滴下させることができ、更に、清掃体が周壁部の他部からも浮いた状態であるので、清掃体の周囲に空気が流通し易くて乾燥し易い環境にすることができる。よって、清掃体を早期に乾燥させることができる。したがって、清掃体が水分を含んだ状態のまま放置さされることによる臭いの発生等を適切に回避することができ、清掃具を清潔に保管することができる。
しかも、収容部の内部に縦方向支持凸部と横方向支持凸部を設けるという嵩張らない構造にて、このような優れた機能を実現することできる。
【図面の簡単な説明】
【００２０】
【図１】（ａ）清掃具の斜視図、（ｂ）清掃具の分解図
【図２】（ａ）清掃用芯部の正面図（前面図）、（ｂ）清掃用芯部の側面図
【図３】（ａ）清掃具を第１清掃形態にて使用している状態を示す要部の断面図、（ｂ）清掃具を第２清掃形態にて使用している状態を示す要部の断面図
【図４】（ａ）床置型の清掃具用ケースに清掃具を収容した状態の斜視図、（ｂ）床置型の清掃具用ケースに清掃具を収容した状態の一部破断縦断面図
【図５】図４（ａ）のＶ−Ｖ線横断面図
【図６】（ａ）壁付型の清掃具用ケースに清掃具を収容した状態の斜視図、（ｂ）壁付型の清掃具用ケースに清掃具を収容した状態の要部の縦断面図、（ｃ）壁付型の清掃具用ケースに清掃具を収容した状態の平面図（上面図）
【図７】壁付型の清掃具用ケースの縦断面図
【発明を実施するための形態】
【００２１】
本発明に係る清掃具及び清掃具用ケースの実施形態を図面に基づいて説明する。
〔第１実施形態〕
まず、図１〜図３を参照して清掃具Ｔについて説明する。
この清掃具Ｔは、図１、図３に示すように、トイレの便器Ｂ（図３参照）の清掃に好適に用いられるものであり、便器Ｂの縁裏Ｕを清掃するための縁裏清掃部位１０ａを先端側に有する清掃体１０と、その清掃体１０が先端部２０Ｂに取り付けられる柄２０と、が備えられている。
【００２２】
そして、この清掃具Ｔは、少なくとも清掃体１０における柄長手方向Ｙに直交する前後方向Ｚの両側となる前側（前半部位）の外表面層１０Ａ及び後側（後半部位）の外表面層１０Ｂに、フッ素樹脂粉体を含有する清掃用処理剤Ｐが付着され、更に、清掃体１０が、柄２０の先端部２０Ｂに取り付けられた状態で前後方向Ｚの両側に曲げ変形可能に構成されている。
【００２３】
そのため、図３（ａ）に示すように、先端側の縁裏清掃部位１０ａが他部に対して前後方向の前側に偏倚するように曲げ変形させることで、第１清掃形態として、清掃体１０における清掃用処理剤Ｐが付着された後側の外表面層１０Ｂを清掃対象面に擦り付けて便器Ｂの内面を清掃しながら、清掃体１０の前後方向の前側に偏倚した縁裏清掃部位１０ａを便器Ｂの縁裏Ｕに入り込ませる形態で便器Ｂの縁裏Ｕを清掃することができる。
また、図３（ｂ）に示すように、清掃具Ｔの使用姿勢を前後逆向きに反転させ、先端側の縁裏清掃部位１０ａが他部に対して前後方向の後側に偏倚するように曲げ変形させることで、第２清掃形態として、清掃体１０における清掃用処理剤Ｐが付着された前側の外表面層１０Ａを清掃対象面に擦り付けて便器Ｂの内面を清掃しながら、清掃体１０の前後方向の後側に偏倚した縁裏清掃部位１０ａを便器Ｂの縁裏Ｕに入り込ませる形態で便器Ｂの縁裏Ｕを清掃することができる。
よって、この清掃具Ｔは、清掃体１０の前後方向Ｚの両側の外表面層１０Ａ，１０Ｂに付着している清掃用処理剤Ｐを無駄なく使用して便器Ｂを清掃することができる。
【００２４】
以下、各部の具体的構成について説明を加える。
柄２０は、例えば、図１に示すように、扁平な長方形断面を有する細長い棒状に構成されている。柄２０の手元側となる基端部２０Ａには、フック等の各種の被掛止部に掛止可能な掛止孔２０ａ（掛止部の一例）が備えられている。柄２０の先端部２０Ｂには、図１（ｂ）に示すように、柄長手方向Ｙに沿って延在する清掃用芯部２１が備えられている。
【００２５】
本実施形態において、柄２０は、使用者が把持可能な金属製の筒状の基端側部材２２の先端に、清掃用芯部２１を先端側に有する可撓性の樹脂製の先端側部材２３を装着して構成されている。例えば、図４（ｂ）に示すように、先端側部材２３の基端部に形成された嵌合凸部２３ａと、基端側部材２２の先端部に形成された被嵌合凹部２２ａとの嵌合等により、基端側部材２２の先端に先端側部材２３が装着されている。
【００２６】
図１（ｂ）に示すように、清掃用芯部２１は、前後方向Ｚを板厚方向とする薄板状（板状の一例）に構成されている。清掃体１０は、清掃用芯部２１を前後方向Ｚから挟むように二つ折りにした状態で清掃用芯部２１の周囲に取り付けられる。図１、図２に示すように、清掃用芯部２１の基端側には、基板部２１Ａの板厚が最も大で最も曲げ剛性が大となる取付板部２４が備えられている。
【００２７】
取付板部２４には、二つ折りにした清掃体１０を前後方向Ｚから挟み込んで取り付ける取付具２６用の挿通孔２４ａが貫通形成されている。図１（ｂ）に示すように、取付具２６は、無理嵌め嵌合自在な雄部材２６ａと雌部材２６ｂとから構成されている。雄部材２６ａの軸部にて二つ折りにした清掃体１０を貫通させ、且つ、雄部材２６ａの軸部を取付板部２４の挿通孔２４ａに挿通させる状態で、雄部材２６ａと雌部材２６ｂとを無理嵌めすることで、二つ折りにした清掃体１０を取付板部２４に取り付けることができる。
【００２８】
図１、図２に示すように、清掃用芯部２１における取付板部２４の先端側には、前後方向Ｚを板厚方向として前後方向Ｚの両側に曲げ変形可能な薄板状（板状の一例）の曲げ変形部２５が備えられている。なおの曲げ変形部２５は、左右方向Ｘを板幅方向とするので、左右方向の両側への曲げ変形は略不能となっている。
【００２９】
この曲げ変形部２５は、先端側ほど曲げ剛性が低くなる形状（逆に言えば、先端側ほど曲げ柔性が高くなる形状）に構成されている。本実施形態では、曲げ変形部２５は、先端側ほど曲げ剛性が低くなる形状として、基板部２１Ａの板厚が先端側ほど小さくなる形状に構成されている。
【００３０】
曲げ変形部２５は、図２に示すように、基端側から先端側に向かって、柄長手方向Ｙの長さ及び板厚の減少率（単位長さあたりの減少量）が異なる第１曲げ変形領域２５Ａと第２曲げ変形領域２５Ｂとが備えられている。
第１曲げ変形領域２５Ａは、第２曲げ変形領域２５Ｂに比べて、柄長手方向Ｙの長さＬ１が小さくて基板部２１Ａの板厚の減少率（単位長さあたりの減少量）が大きく構成されている。
第２曲げ変形領域２５Ｂは、第１曲げ変形領域２５Ａに比べて、柄長手方向Ｙの長さＬ２が大きくて基板部２１Ａの板厚の減少率（単位長さあたりの減少量）が小さく構成されている。
【００３１】
なお、第１曲げ変形領域２５Ａの柄長手方向Ｙの長さＬ１は、取付板部２４の柄長手方向Ｙの長さＬ３よりも小に構成され、第２曲げ変形領域２５Ｂの柄長手方向Ｙの長さＬ２は、取付板部２４の柄長手方向Ｙの長さＬ３よりも大に構成されている。また、第２曲げ変形領域２５Ｂの柄長手方向Ｙの長さＬ２は、第１曲げ変形領域２５Ａの柄長手方向Ｙの長さＬ１と取付板部２４の柄長手方向Ｙの長さＬ３の合計長さと同等又はそれよりも大に構成するのが望ましく、本実施形態では、合計長さよりも少し大に構成されている。
【００３２】
曲げ変形部２５の基板部２１Ａにおいて、前後面の幅方向両側部位、並びに先端面には、清掃体１０の内表面層１０Ｄ（二つ折りにした状態で相対向する内表面層）に掛止可能な複数の掛止突起２１Ｂ（掛止部の一例）が備えられ、この曲げ変形部２５を含む清掃用芯部２１の周囲に取り付けられた状態での清掃体１０の位置ズレ等が防止されている。
【００３３】
また、曲げ変形部２５の基板部２１Ａにおける前後面の幅方向中央側には、曲げ変形部２５の曲げ剛性を微調整するための帯状の凸条２１Ｃが備えられている。よって、曲げ変形部２５を有する先端側部材２３を成形する際、金型の修正等により凸条２１Ｃの幅を変更することで、曲げ変形部２５の曲げ剛性を比較的容易に調整することができる。
【００３４】
前記清掃体１０は、比較的腰のある不織布等からマット状又はブロック状に構成され、前述したように、清掃用芯部２１を前後方向から挟むように二つ折りにした状態で清掃用芯部２１の取付板部２４及び曲げ変形部２５の周囲に取り付けられている。清掃体１０の前後方向Ｚの両側及び柄長手方向Ｙの先端側を含む全外表面層（前側の外表面層１０Ａと後側の外表面層１０Ｂを合わせた全域）に、フッ素樹脂粉体を含有する清掃用処理剤Ｐが付着されている。
【００３５】
清掃用処理剤Ｐは、粘度の低い液状やそれよりも粘度の高いペースト状とすることができ、例えば、アクリル樹脂エマルジョンに対してフッ素樹脂粉体とシリコーンオイル等を含有させて構成することができる。そのため、清掃時において、清掃体１０の清掃対象面に対する摺動性を向上させることができるとともに、清掃対象面に優れた防汚性と光沢とを与えることができる。
また、清掃用処理剤Ｐには、適宜、ケイ酸塩鉱物粉体や潤滑剤、粘度調整剤等を更に含有させることができる。粘度調整剤としては、ステアリン酸カルシウムを好適に使用することができる。
【００３６】
清掃用処理剤Ｐの具体的な組成は適宜に変更可能であるが、好ましい一例を挙げると、アクリル樹脂エマルジョンの含有率を４０重量％以上６０重量％以下の範囲内とし、フッ素樹脂粉体の含有率を２０重量％以上３０重量％以下の範囲内とし、シリコーンオイルの含有率を２重量％以上４重量％以下の範囲内としている。また、ケイ酸塩鉱物粉体の含有率を１重量％以上２重量％以下の範囲内とし、潤滑剤の含有率を１重量％以上２重量％以下の範囲内とし、粘度調整剤の含有率を３重量％以上５重量％以下の範囲内としている。
【００３７】
次に、図４、図５を参照して清掃具用ケースＣについて説明する。
この清掃具用ケースＣは、図４、図５に示すように、床面等に載置した状態で使用される床置型のケースとして構成されている。清掃具用ケースＣは、底壁部３０Ａと当該底壁部３０Ａの周囲から立ち上がる周壁部３０Ｂとを有する自立可能な上方開口の収容部３０と、当該収容部３０の上部に備えられ、清掃具Ｔを所定の吊り下げ姿勢で吊り下げ支持する吊り下げ支持部４０と、を備えて構成されている。ここで、所定の姿勢は、清掃具Ｔの清掃体１０が底壁部３０Ａ及び周壁部３０Ｂから浮いた状態で収容部３０の内部空間３１に位置する吊り下げ姿勢となっている。そのため、清掃体１０を早期に乾燥させることができ、清掃具Ｔを清潔に保管することができる。
【００３８】
前記収容部３０は、やや上方広がりの縦長直方体状の内部空間３１を有する縦長直方体状の箱形状に構成されている。内部空間３１の下方側における前後方向Ｚの幅及び左右方向Ｘの幅は、清掃体１０の前後方向Ｚの幅及び左右方向Ｘの幅よりも大に構成されている。
収容部３０の周壁部３０Ｂのうち、収容部３０の内部空間３１を左右方向Ｘから挟んで相対向する左右の二つの壁部３０ａ、３０ｂの上端面は略水平な水平面に構成されている。
一方、収容部３０の内部空間３１を前後方向Ｚから挟んで相対向する前後の二つの壁部３０ｃ、３０ｄの上端面は内部空間３１側ほど下方に位置する傾斜面に構成されている。
【００３９】
前記吊り下げ支持部４０は、収容部３０の周壁部３０Ｂのうち、左右の二つの壁部３０ａ、３０ｂの略水平な上端面における幅方向（図中の前後方向Ｚ）の中央部位から直上に立ち上がる一対の支柱部４１と、一対の支柱部４１の上端側どうしを平面視で直線的に繋ぐ繋ぎ部４２とを備えて構成されている。ここで、繋ぎ部４２は、平面視において壁部３０ａ、３０ｂの幅方向（図中の前後方向Ｚ）の中央部位どうしを繋ぐ線分Ａ（図４参照）に沿って備えられている。そのため、清掃具Ｔを収納する場合に、一対の支柱部４１と繋ぎ部４２とによって清掃具Ｔの荷重を効率的に支持することができる。また、繋ぎ部４２を取っ手に利用して持ち運ぶことができ、その場合でも、収容部３０をバランス良く持ち上げることができる。
【００４０】
本実施形態では、吊り下げ支持部４０は、平行又は略平行する一対の支柱部４１と、それらに直交又は略直交する繋ぎ部４２とを一体的に有した合成樹脂製の門型の部材にて構成されている。この門型の部材は、扁平な直方形断面にて門の字状に連続するように構成されている。
【００４１】
前記繋ぎ部４２の下面における長手方向（図中のＸ方向）の中央部位には、前後方向Ｚの前側から清掃具Ｔの柄２０の掛止孔２０ａを掛止可能な側面視Ｌ字状のフック部４２Ａ（被掛止部の一例）が一体的に備えられている。このフック部４２Ａに対して清掃具Ｔの柄２０の掛止孔２０ａを掛止させた状態で清掃具Ｔが前述した所定の姿勢になるようにフック部４２Ａの位置等が設定されている。なお、のフック部４２Ａの前端側の上面には、フック部４２Ａに掛止させた柄２０の前側への抜け出し移動を規制する抜け出し規制部４２ａが突出形成されている。
【００４２】
〔第２実施形態〕
図６、図７に示すように、この第２実施形態では、清掃具用ケースＣが、壁面等に取り付可能な比較的小型の壁付型のケースとして構成されている。また、清掃具Ｔも、このような比較的小型の清掃具用ケースＣに収容可能な比較的小型のものとして構成されている。
なお、清掃具Ｔは、柄２０の基端部２０Ａの掛止孔２０ａ（掛止部の一例）が省略されている点、及び、大きさが異なる点以外は第１実施形態と同様である。そのため、清掃具Ｔについての詳細な説明は省略し、清掃具用ケースＣを中心に説明する。
【００４３】
図６に示すように、この第２実施形態の清掃具用ケースＣには、底壁部３５Ａと当該底壁部３５Ａの周囲から立ち上がる周壁部３５Ｂとを有する上方開口の収容部３５が備えられている。この収容部３５の後面側には、吸着作用等により壁面等に取り付け可能な取付部３６が備えられており、この取付部３６を壁面等に取り付けることで、収容部３５を壁面等に取り付けることができる。なお、この収容部３５は、前述の第１実施形態と同様に自立可能に構成されており、必要に応じて、床面等に載置して使用することもできる。
【００４４】
収容部３５における底壁部３５Ａの内面側には、清掃具Ｔの清掃体１０を底壁部３５Ａから浮いた状態で支持する縦方向支持凸部３９が備えられている。
この縦方向支持凸部３９は、底壁部３５Ａの中央側において、収容姿勢の清掃体１０の左右幅方向に対応する左右方向Ｘに沿って間隔を空けて並ぶ半円状断面の二本（複数本の一例）の凸条３９Ａから構成されている。
【００４５】
また、収容部３５における周壁部３５Ｂの内面側には、清掃具Ｔの清掃体１０を周壁部３５Ｂの他部から浮いた状態で支持する横方向支持凸部３８が備えられている。
この横方向支持凸部３８は、図６（ｃ）に示すように、周壁部３５Ｂの前後左右の四つの壁部３５ａ、３５ｂ、３５ｃ、３５ｄの夫々の幅方向中央部に突設された四つの凸片３８Ａから構成されている。周壁部３５Ｂの前後の壁部３５ａ、３５ｂに備えられた二つの凸片３８Ａは、前後方向で相対向する配置状態となっており、周壁部３５Ｂの左右の壁部３５ｃ、３５ｄに備えられた二つの凸片３８Ａも、左右方向で相対向する配置状態となっている。
【００４６】
各凸片３８Ａは、図６（ｂ）に示すように、収容空間３７の上下中央位置から少し上方に偏倚した中央上側位置を上端とし、収容空間３７の下端から少し上方に偏倚した下端側位置を下端とする上下範囲に備えられている。
各凸片３８Ａの上端部は、下方側ほど徐々に突出代が大となる形状に構成されており、清掃具Ｔを収容させる際に清掃体１０が上方から下方に移動するに連れて横方向の中央側への支持力（位置規制力）が大となるように構成されている。なお、各凸片３８Ａの下端部は、上端部とは逆に、上方側ほど徐々に突出代が大となる形状に構成されている。
【００４７】
このような構成により、この清掃具用ケースＣは、清掃具Ｔを収容するとき、収容部３５の内部において、底壁部３５Ａに備えられた縦方向支持凸部３９により清掃体１０を底壁部３５Ａの他部から浮いた状態に支持することができ、更に、周壁部３５Ｂに備えられた横方向支持凸部３８により清掃体１０を周壁部３５Ｂの他部から浮いた状態に支持することができる。よって、収容部３５の内部に縦方向支持凸部３８と横方向支持凸部３９を設けるという嵩張らない構造にて、清掃体１０を早期に乾燥させることができ、清掃具１０を清潔に保管することができる。
【００４８】
なお、本実施形態では、横方向支持凸部３８は、収容部３５とは別に成形される横方向支持部材にて構成されている。図６（ｃ）、図７に示すように、横方向支持部材は、環状片３８Ｂと、その環状片３８Ｂの内面側の四つの凸片３８Ａとを合成樹脂材料にて一体成形して構成されている。環状片３８Ｂは、収容部３５の周壁部３５Ｂの内周面の上下中央位置に形成された環状の段部３５ｅ（図７参照）に対して上方から当接して下方移動が規制される大きさで構成され、環状の段部３５ｅに上方から当接させた状態で接着剤等を適宜に使用して固着されている。
【００４９】
〔別実施形態〕
（１）前述の実施形態では、清掃体１０の外表面層１０Ａ，１０Ｂのみに清掃用処理剤Ｐが付着されている場合を例に示したが、清掃体１０を液状等の清掃用処理剤Ｐに浸漬させる等により、清掃体１０全体に清掃用処理剤Ｐが付着されていてもよく、少なくとも清掃体１０の外表面層１０Ａ，１０Ｂに清掃用処理剤Ｐが付着されていればよい。
【００５０】
（２）前述の実施形態では、曲げ変形部２５が、先端側ほど曲げ剛性が低くなる形状に構成されている場合を例に示したが、基端側から先端側にかけて曲げ剛性が変化しない形状に構成されていてもよい。その場合、曲げ変形部２５の基端側から先端側にかけて基板部２５Ａの板厚が同じ厚みに構成すればよい。
【００５１】
（３）前述の実施形態では、曲げ変形部２５の先端側ほど曲げ剛性が低くなる形状として、基板部２５Ａの板厚が先端側ほど徐々に小さくなる形状を例に示したが、これに限られない。例えば、基板部２５Ａの基端側から先端側に向かう延在方向の所定ピッチで多数の屈曲変形用の薄肉部を形成し、先端側の薄肉部ほど厚みが小となるように多数の薄肉部の厚みを設定された形状としてもよい。
【符号の説明】
【００５２】
１０            清掃体
１０Ａ          前側の外表面層
１０Ｂ          後側の外表面層
１０Ｄ          内表面層
１０ａ          縁裏清掃部位
２０            柄
２０Ａ          柄の基端部
２０Ｂ          柄の先端部
２１            清掃用芯部
２１Ａ          基板部
２５            曲げ変形部
３０，３５      収容部
３０Ａ，３５Ａ  底壁部
３０Ｂ，３５Ｂ  周壁部
３１，３７      内部空間
３８            横方向支持凸部
３９            縦方向支持凸部
４０            吊り下げ支持部
４１            支柱部
４２            繋ぎ部
Ｃ              掃具用ケース
Ｐ              清掃用処理剤
Ｔ              清掃具
Ｘ              左右方向
Ｙ              柄長手方向
Ｚ              前後方向
【図１】
2019051032.tif 000003
【図２】
2019051032.tif 000004
【図３】
2019051032.tif 000005
【図４】
2019051032.tif 000006
【図５】
2019051032.tif 000007
【図６】
2019051032.tif 000008
【図７】
2019051032.tif 000009